(57)【要約】【課題】  充分な足指運動を行うことができるうえ、地面等に強く踏ん張ることのできる靴下を提供する。【解決手段】  つま先部２に、親指（イ）を独立して収納する内側指挿入袋部２１と、薬指（ロ）と小指（ハ）を纏めて収納する外側指挿入袋部２２を設けたうえ、該内側指挿入袋部２１と外側指挿入袋部２２との間に、人差し指（ニ）と中指（ホ）を纏めて収納する中間指挿入袋部２３を設ける。【選択図】  図１
2006249630.tif 000002
【特許請求の範囲】
【請求項１】
つま先部に、親指を独立して収納する内側指挿入袋部と、薬指と小指を纏めて収納する外側指挿入袋部を設けたうえ、該内側指挿入袋部と外側指挿入袋部との間に、人差し指と中指を纏めて収納する中間指挿入袋部を設けたことを特徴とする靴下。
【請求項２】
つま先部に、親指を独立して収納する内側指挿入袋部と、薬指と小指を纏めて収納する外側指挿入袋部を設けたうえ、該内側指挿入袋部と外側指挿入袋部との間に、人差し指と中指とをそれぞれ独立して収納する人差し指挿入袋部と中指挿入袋部を設けたことを特徴とする靴下。
【請求項３】
外側指挿入袋部の基端側に伸縮部を設けた請求項１又は２に記載の靴下。
【請求項４】
外側指挿入袋部と中間指挿入袋部の基端側に伸縮部を設けた請求項１に記載の靴下。
【発明の詳細な説明】
【技術分野】
【０００１】
本発明は、足指運動が容易にできる靴下に関するものである。
【背景技術】
【０００２】
従来の靴下は、つま先を足指全体を覆う袋状としたものが普通である。しかし、このようなものは足の保温、皮膚の保護することを主な機能としたものであり、足指の運動を高めるための配慮がなされてないものである。
これを解決するものとして、各足指を分岐させて各指がそれぞれ自由に動くことのできる所謂５本指靴下がある（例えば、特許文献１、２参照）。
【０００３】
ところが、この５本指靴下は人差し指、中指、薬指、小指が動き易くはなってはいるが、それぞれの指がばらばらなため、各指が補完しあって力強く地面等を踏み込むことができないもので、特に小指には力が加わらないものであった。
【特許文献１】特開２００１−１２３３０１公開特許公報
【特許文献２】特開２００２−２２７００３公開特許公報
【発明の開示】
【発明が解決しようとする課題】
【０００４】
本発明は前記のような従来の問題点を解決して、充分な足指運動を行うことができるうえ、地面等に強く踏ん張ることのでき健康ウォーキング、登山、ゴルフ等の運動に最適な靴下を提供することである。
【課題を解決するための手段】
【０００５】
本発明の靴下は、つま先部に、親指を独立して収納する内側指挿入袋部と、薬指と小指を纏めて収納する外側指挿入袋部を設けたうえ、該内側指挿入袋部と外側指挿入袋部との間に、人差し指と中指を纏めて収納する中間指挿入袋部を設けたことを特徴とするものを請求項１に係る発明とする。
【０００６】
また、つま先部に、親指を独立して収納する内側指挿入袋部と、薬指と小指を纏めて収納する外側指挿入袋部を設けたうえ、該内側指挿入袋部と外側指挿入袋部との間に、人差し指と中指とをそれぞれ独立して収納する人差し指挿入袋部と中指挿入袋部を設けたことを特徴とするものを請求項２に係る発明とする。
【０００７】
そして、前記のような請求項１、２に係る発明において、外側指挿入袋部の基端側に伸縮部を設けたものを請求項３に係る発明とし、さらに、前記請求項１に係る発明において、外側指挿入袋部と中間指挿入袋部の基端側に伸縮部を設けたものを請求項４に係る発明とする。
【発明の効果】
【０００８】
先ず、請求項１に係る靴下は、つま先部に、親指を独立して収納する内側指挿入袋部を設けたものであるので、親指は独立して自由に屈伸運動ができる。そして、薬指と小指を纏めて収納する外側指挿入袋部を設けたものであるので、薬指と小指とは該外側指挿入袋部により全体が包まれた状態で一体的に束ねられてお互いを補完しあい同調して屈伸するので、それぞれが１本づつ屈伸するよりも大きく屈伸できる。また、内側指挿入袋部と外側指挿入袋部との間に、人差し指と中指を纏めて収納する中間指挿入袋部を設けたものであるので、人差し指と中指も全体が包まれた状態で一体的に束ねられてお互い補完しあい同調して屈伸するので、それぞれが１本づつの指が屈伸するよりも大きく屈伸できる。これに釣られて親指の動きも活発となり、足指全体を屈伸する運動が容易に行うことができて血行が良くなり、体温を上昇させ免疫力を向上させるものである。また、小指は薬指と束ねられており、踏ん張りの効くものとなり足裏全体に強力な足指パワーを付与して、姿勢が正しく安定した歩行ができるものである。
【０００９】
また、請求項２に係る靴下は、請求項１に係る発明と同様に親指は独立して屈伸運動ができる。そして、薬指と小指を纏めて収納する外側指挿入袋部を設けたものであるので、薬指と小指とは全体が包み込まれて一体的に束ねられてお互いを補完しながら同調して屈伸するので、それぞれが１本づつ屈伸するよりも大きく屈伸できるものである。また、内側指挿入袋部と外側指挿入袋部との間に、人差し指と中指とをそれぞれ独立して収納する人差し指挿入袋部と中指挿入袋部を設けたので、人差し指と中指がそれぞれ独立して互い違いに屈伸できるものである。
【００１０】
さらに、外側指挿入袋部の基端側に伸縮部を設けたり、これに加えて中間指挿入袋部の基端側に伸縮部を設けたものとすることにより、外側指挿入袋部に全体を包み込まれて一体に纏めて収納した薬指と小指、また、中間指挿入袋部に纏めて収納した人差し指と中指は、基端側の伸縮部により的確に束ねられて互いに添木のような効果を発揮してより一体化されて力が入り易くなるものである。しかも、基端側に伸縮部を設けたものであるので指先の爪に悪影響を与えることの無く、指の屈伸時、歩行時に心地良い刺激を与えるものである。
【発明を実施するための最良の形態】
【００１１】
次に、本発明の好ましい実施の形態を図に基づき説明する。
図１、図２において、１は靴下本体であり、該靴下本体１のつま先部２には、親指（イ）を独立して収納する内側指挿入袋部２１と、薬指（ロ）と小指（ハ）を纏めて収納する外側指挿入袋部２２が設けられている。また、前記内側指挿入袋部２１と外側指挿入袋部２２との間には、人差し指（ニ）と中指（ホ）を纏めて収納する中間指挿入袋部２３が設けられている。
【００１２】
また、前記外側指挿入袋部２２の基端側には伸縮部３を設けている。すなわち、外側指挿入袋部２２の基端側をゴム編で形成したり、ゴム糸を編み込んだりする等の手段により伸縮部３に形成している。さらには、これに加えて中間指挿入袋部２３の基端側にも同様な手段により伸縮部３を設けている。
【００１３】
なお、図３に示すものは、前記内側指挿入袋部２１と外側指挿入袋部２２との間に、人差し指（ニ）と中指（ホ）を纏めて収納する中間指挿入袋部を設けることなく、人差し指（ニ）と中指（ホ）とをそれぞれ独立して収納する人差し指挿入袋部２３ａと中指挿入袋部２３ｂを設けている。
【００１４】
このように構成されたものは、靴下本体１の足挿入口１ａから足を入れれば、１本では挿入しずらい小指（ハ）は薬指（ロ）と纏められて外側指挿入袋部２２に挿入されるので、装着が容易なものである。そして、本発明は、つま先部２には、親指（イ）を独立して収納する内側指挿入袋部２１を設けたものであるので、親指（イ）は独立して自由に屈伸運動ができる。また、該つま先部２には、薬指（ロ）と小指（ハ）を纏めて収納する外側指挿入袋部２２を設けたものであるので、薬指（ロ）と小指（ハ）は全体を包み込まれて一体に束ねられてお互いに補完しあい同調して屈伸するので、それぞれが１本づつ屈伸するよりも大きく屈伸できる。また、これに反応して親指（イ）も大きく屈伸することができ足指全体の屈伸するが容易に行うことができて血行が良くなり、体温を上昇させ免疫力を向上させるものである。
【００１５】
また、小指（ハ）は薬指（ロ）に支えられることなり、足裏で踏ん張る際に小指（ハ）は反発力を増すことができて、強力な足指パワーを発揮でき、姿勢が正しく安定した歩行ができるものである。
【００１６】
さらに、内側指挿入袋部２１と外側指挿入袋部２２との間に、人差し指（ニ）と中指（ホ）を纏めて収納する中間指挿入袋部２３を設けたものであるから、人差し指（ニ）と中指（ホ）も全体が包み込まれて一体的に束ねられてお互いに補完しあって同調して屈伸するので、それぞれが１本づつ屈伸するよりも大きく屈伸できる。また、これに反応して親指（イ）の働きも強力となり、足指全体の屈伸が容易に行うことができ正しい足底が形成され姿勢が正しく安定した歩行で疲れをためない強い足とすることができるものである。また、前記したとおり薬指（ロ）と小指（ハ）とは束ねられてお互いに補完しているのでより強力な足指パワーを発揮するものである。したがって、健康のためのウォーキング、登山、ゴルフ等のスポーツや立ち仕事をよい姿勢で行うことができ足腰を強く健康な身体づくりができるものである。
【００１７】
なお、図３に示すように、前記内側指挿入袋部２１と外側指挿入袋部２２との間に、人差し指（ニ）と中指（ホ）とをそれぞれ独立して収納する人差し指挿入袋部２３ａと中指挿入袋部２３ｂを設けたものにあっては、人差し指（ニ）と中指（ホ）を、それぞれ独立して互い違いに屈伸できるものである。
【００１８】
また、外側指挿入袋部２２の基端側に伸縮部３を設けたり、これに加えて中間指挿入袋部２３の基端側に伸縮部３を設けたものとすることにより、外側指挿入袋部２２に全体を包み込むように一体的に纏めて収納した薬指（ロ）と小指（ハ）、及び、中間指挿入袋部２３に全体を包み込むように一体的に纏めて収納した人差し指（ニ）と中指（ホ）は、基端側の伸縮部３により的確に束ねられて互いに添木のような効果を発揮してより力が入り易くなるものである。さらには、指の屈伸時、歩行時に心地良い刺激を与えるものである。しかも、基端側に伸縮部３を設けたものであるから指先の爪に悪影響を与えることの無いものであり、また、指先全体が覆われており保温性が良い事は勿論である。
【００１９】
なお、親指（イ）を独立して収納する内側指挿入袋部２１及び人差し指（ニ）と中指（ホ）とをそれぞれ独立して収納する人差し指挿入袋部２３ａと中指挿入袋部２３ｂの基端側にも伸縮部３を設けておけば、指先の爪に悪影響を与えることなく指の屈伸時、歩行時にこれらの指にも心地良い刺激を与えて履き心地の良いものとなる。
【図面の簡単な説明】
【００２０】
【図１】本発明の実施の形態を示す斜視図である。
【図２】本発明の実施の形態を示す平面図である。
【図３】本発明の他の実施の形態を示す平面図である。
【符号の説明】
【００２１】
２  つま先部
21  内側指挿入袋部
22  外側指挿入袋部
23  中間指挿入袋部
23a  人差し指挿入袋部
23b  中指挿入袋部
【図１】
2006249630.tif 000003
【図２】
2006249630.tif 000004
【図３】
2006249630.tif 000005